(57)【特許請求の範囲】
【請求項１】
基材フィルム部の一方の面にホログラム箔部を形成した物品の真正性を証明する証明用シールにおいて、
前記ホログラム箔部は、レインボーホログラムとして形成したグレーティングＣＧＨ（ＣＧＨ：計算機生成ホログラム）パターンと、
単色光を照射したときに所定の回折像を現出させる３以上の多値ＣＧＨパターンとから構成され、
前記レインボーホログラムとして形成したグレーティングＣＧＨパターンの外形形状が目視確認可能なように、又は前記多値ＣＧＨパターンの外形形状が前記単色光を照射しないときであっても目視確認可能なようにパターン形成され、
前記回折像と前記目視確認可能なパターン形状とが認証情報として相互関係を有するか、又は同一の情報となる
ように構成したことを特徴とする証明用シール。
【発明の詳細な説明】
【０００１】
【発明の属する技術分野】
本発明は様々な物品に貼付されて真贋証明、盗難防止等に用いられる証明用シールに関する。
【０００２】
【従来の技術】
【発明が解決しようとする課題】
高価な物品あるいは商品は、不正な売買や盗難を目的とした贋造、偽造、あるいは贋造品との不正な交換の危険に晒されている。
【０００３】
図１０は絵画１０ａ、１０ｂが展示された美術館の内部を模した図である。
美術館に展示される絵画の多くは商品として売買されると高額であると同時に文化財として計り知れない価値を有しており、美術館の所有者、絵画の所有者等は厳重な警備を行なって絵画の盗難防止策を講じていることは言うまでもない。しかし過去の歴史が実証するように、高額あるいは価値の大きい物品であるほど贋造、偽造の危険が増大しており、精巧な贋作品が存在するならばいかに厳重な警備を行なったとしても、贋作品との不正な交換が行なわれて真正品が外部に持ち出される危険もまた増大する。
【０００４】
例えば図１０図示の美術館では、昼間の開館時間中も、夜間の閉館時間中も、警備員が巡回し、あるいは館内に設置された監視カメラが常に監視を続けて、絵画１０ａ、１０ｂの盗難を防いでいるはずである。
従って、単純に絵画を持ち去るような窃盗犯であれば、あるべき場所に絵画が存在しないので盗難が発生したことは即座に判明するが、精巧な贋作品が密かに美術館内に持ち込まれ、真正の絵画と交換されて展示され続けたとすると、即座に盗難が発生したことを知るのは困難であり、盗まれた真正品の絵画が官憲の捜索の及ばない場所まで持ち出される確率もまた大きくなる。
【０００５】
不正に交換された贋作品が精巧、巧妙であるほど、真正品との判別は困難となり、判別ができる専門家（鑑定人）はごく限られた範囲となってしまう。
贋作品との不正な交換が行なわれたならば即座に対応できるようにするために、日常の警備において常に鑑定人が警備員と同行し、展示されている絵画が真正品であるか否かを確認するのは、望ましくはあるが現実的な方法ではない。
【０００６】
従って物品が真正品か、そうでないかを専門の知識を有する鑑定人以外の者でも確実に即座に証明することが出来れば、効率よく警備を行なって犯罪を防ぐことが可能となるが、それを実現する構成、或いは方法は従来提供されていなかった。
【０００７】
一方、従来ビデオカセット、クレジットカード、コンピュータアプリケーションソフトウェアパッケージ等の商品や物品において、真正性を証明し偽造、贋造を防ぐ手段として、レインボーホログラムと呼ばれる、自然光の照射に応じて文字や図形などの多色に光る虚像が現れるパターンをシールの表面に形成した、レインボーホログラムシールも用いられてきた。
【０００８】
しかし上記したレインボーホログラムシールは、目視で容易に確認できるという利点を有するものの、画質的に貧弱であり、小さな文字を明瞭に表示することが出来ず、出所表示あるはＩＤナンバーのような細かい文字列を表示して物品の証明を行なう、等の使い方ができなかった。
更にレインボーホログラムにおける、より致命的な課題として、一般的に市場で流通しており、写真製版技術を基礎として作成されるものであるからこれを偽造作成することは困難ではあるものの、比較的小規模の設備を準備することによりその困難性が解消され、偽造がなされる恐れがあった。
【０００９】
従ってレインボーホログラム自身が偽造される恐れがゼロとは言えず、一旦偽造されると、その再生画像が上記のように不明瞭で情報量の小さな画像であるので、真贋の判定が容易ではなく、従って物品の真正性を証明する手段としては、全く不十分である、という課題が有った。
【００１０】
そこで、本発明は特に単色光の照射により真正性証明用の回折像を現出するＣＧＨ（計算機生成ホログラム）パターンを、基体に設けた構成を備えたことによって、偽造品の製造が極めて困難であり、物品が真正品であることを確実かつ容易に証明する、証明用シールを提供することを目的とする。
【００１１】
【課題を解決するための手段】
上述した課題を解決するために、本発明は、下記（１）の構成を有する証明用シールを提供する。
（１）  基材フィルム部の一方の面にホログラム箔部を形成した物品の真正性を証明する証明用シールにおいて、前記ホログラム箔部は、レインボーホログラムとして形成したグレーティングＣＧＨ（ＣＧＨ：計算機生成ホログラム）パターンと、単色光を照射したときに所定の回折像を現出させる３以上の多値ＣＧＨパターンとから構成され、前記レインボーホログラムとして形成したグレーティングＣＧＨパターンの外形形状が目視確認可能なように、又は前記多値ＣＧＨパターンの外形形状が前記単色光を照射しないときであっても目視確認可能なようにパターン形成され、前記回折像と前記目視確認可能なパターン形状とが認証情報として相互関係を有するか、又は同一の情報となるように構成したことを特徴とする証明用シール。
【００１２】
【発明の実施の形態】
以下、本発明の好ましい実施例につき、図１乃至図９を用いて詳細に説明する。
図１は本発明の証明用シールの一実施例である贋造防止シールを貼付した絵画が展示された美術館の摸式図、図２は図１に示す贋造防止シールの断面図、図３は本発明の証明用シール付物品の一実施例を示す図、図４は図１に示す贋造防止シールの平面図、図５は２値のＣＧＨの断面形状を示す図、図６は多値のＣＧＨの断面形状を示す図、図７はホログラム再生装置の構造を説明するための図、図８は２値のＣＧＨから得られる回折像を示す図、図９は本発明の証明用シールの他の実施例の平面図である。
【００１３】
最初に、図１すなわち本発明の証明用シールの一実施例である贋造防止シールを貼付した絵画が展示された美術館の摸式図を用いて説明を行なう。
【００１４】
図１図示の贋造防止シール１ａの概要は、別途準備した照射手段１ｃにより単色レーザ光を照射光１ｄとして贋造防止シール１ａ表面に照射すると反射回折光１ｅが出射し、白い壁面１ｈなど所定の配置、反射率を有する構造に反射回折光１ｅがあたって回折像１ｆを形成する。
【００１５】
回折像１ｆ中には固有のパターン１ｇが現出するように予め贋造防止シール１ａは構成されているので、固有のパターン１ｇを確認することによって、贋造防止シール１ａとともにシールが貼付された絵画１ｂ１、１ｂ２が真正品であることが確実に即座に証明される構成、方法としている。
【００１６】
なお、図１の如く、白い壁面１ｈに回折像１ｆを現出させるような簡易的な方法の他に、後に説明するように専用の再生装置７ａを用いる方法によっても良い。
【００１７】
図１図示の贋造防止シール１ａの構成を、図２の断面図を用いて説明する。
【００１８】
図２のように、贋造防止シール１ａは光透過性を有する基材フィルム６、その下層にあるホログラム層７、更にその下層にある反射金属膜８とを有し、最下層に接着層９を備えている。
【００１９】
ホログラム層７、反射金属膜８及び接着層９は、ホログラム箔部３２をなしている。
【００２０】
なお図２の贋造防止シール１ａの図示姿勢において上方が絵画１ｂ１、１ｂ２へ接着後の表示面（外から見える面）にあたり、下方が絵画１ｂ１、１ｂ２へ接着される面にあたる。
【００２１】
贋造防止シール１ａを生産するに際しては、まず光透明樹脂製の基材フィルム６の下面にＵＶ硬化樹脂等を塗布し、この塗布面にＣＧＨ（後に説明を行なう）を形成したスタンパを押圧し、基材フィルム６側からＵＶ光を照射し，ＵＶ樹脂を硬化させホログラム層７を形成する。
【００２２】
その後、ホログラム層７の下面に金属等をスパッタすることによって反射金属膜８を形成して、接着層を設けて贋造防止シール１ａとして完成する。
あるいは上記と異なり、基材６とホログラム層７とを一体に樹脂成形で構成することも可能である。
【００２３】
上記のＣＧＨとは、計算機を使用して設計された回折格子により実現される「計算機ホログラム」（ＣＧＨ：Ｃｏｍｐｕｔｅｒ  Ｇｅｎｅｒａｔｅｄ  Ｈｏｌｏｇｒａｍ）であり、例えば公知資料たる雑誌「Ｏ  ｐｌｕｓ  Ｅ」（‘９６，  １１月号）８３ページ以下にその最適化手法の一例が記載されている。
【００２４】
上記の計算機ホログラムは、所望の回折格子の回折角に対応する回折光配置情報を、計算機を使用してフーリエ逆変換することで、回折格子の干渉縞に対応する位相分布を算出し、位相分布に対応する階段状段差を半導体製造技術を応用して基板上に作成して、この階段状段差を光記録媒体に転写することにより作成される。
計算機ホログラム（以下、ＣＧＨ）は、単一波長光が照射されると上記回折格子の反射回折光に基づく画像を生成する機能を有する。
【００２５】
また、ＣＧＨを有する光記録媒体及びその製造方法に関しては、特開平１０−１４３９２９号公報にて本出願人が開示している技術がある。本実施例の構成の贋造防止シール１ａを製造するにあたっては、この開示技術を用いてもよい。
【００２６】
通常のグレーティングＣＧＨ（回折格子を用いるＣＧＨ）や２値のＣＧＨ（回折を生じさせる形状が、高低２値の高さからなるＣＧＨ）は一回のエッチングで回折格子を作成することができる。
また２値のＣＧＨでは例えば「Ａ」という文字を回折像として得ようとすれば、図８のようにＤＣ光（０次回折光）を中心として点対称に「Ａ」が再生像として得られる。
【００２７】
しかし図４図示の回折像２の様な、対称形に限らない任意の形状の像を生成しようとする時は、先に本出願人が特許出願したが開示がなされていない技術により実現することが可能である。
上記出願技術の概要は、多値ＣＧＨ（回折を生じさせる構造を複数の高さ（深さ）を有する構成とする）によりＣＧＨを構成し、非対称図形も含めた回折像を現出させるものである。
【００２８】
上記出願技術において、その干渉縞の深さは、入射光の波長をλとし、ｒは、前記素子基板の屈折率をｎ０、前記素子基板のまわり屈折率をｎ１、前記素子基板への前記入射光線の入射角をθとしたとき、反射型の前記回折光学素子の場合はｒ＝１／（４×ｎ０×ｃｏｓθ）であり、図５の２値の場合は一段のＣＧＨの深さｄ＝ｒλ／２で与えられる。またｎ値の場合、図６のように一段のＣＧＨの深さｄ＝ｒλ／ｎで与えられる。
【００２９】
特に多値ＣＧＨを用いて贋造防止シール１ａを構成すると、対称形に限らない任意の文字パターン、図形パターン、マーク等を回折像として得られるので、真正性を証明するためのＩＤ番号、商品番号、出所表示等の高度の情報を表示することが出来る。
【００３０】
本実施例の絵画１ｂ１、１ｂ２は、上記のようにＣＧＨを有する贋造防止シール１ａを貼付した構成であるので、以下に示す理由から、贋造防止シール１ａ自身、及び贋造防止シール１ａを貼付した絵画１ｂ１、１ｂ２の偽造（贋造）が困難であり、偽造防止効果を奏する。
【００３１】
まず、贋造防止シール１ａの表面ないし内部に形成されたＣＧＨのパターンの外形形状（図４図示におけるグレーティングＣＧＨ「ＡＢＣ」、図９図示における多値ＣＧＨ「ＡＢＣ」）を、特定の文字や商標など、商品の真正性を示すパターン形状とすれば、貼付された物品（実施例では絵画１ｂ１、１ｂ２）は真正品であるということをそのパターン形状を見て即座に知ることが出来るとともに、ＣＧＨパターン自体が上記のように計算機を用いた高度の技術、設備、作業を経て初めて形成できるものであって純正のメーカー以外による不正な偽造が極めて困難であるという偽造防止効果があることから、贋造防止シール１ａ自身及び贋造防止シール１ａが貼り付けられた物品（実施例では絵画１ｂ１、１ｂ２）が真正品であることを確実に証明する機能を持つ。
【００３２】
さらに、図３に示すように、ホログラム箔３２のホログラム部に単一波長光を照射して反射回折像１を再生し、再生像をその商品の真正性を示す画像、例えばブランド名、メーカー名、商品名、商品情報等の画像とすれば、上記に説明した、ＣＧＨが偽造困難であることと合わせて、更に確実に真正品であることを証明できる。
また図４に示すように回折像を発生するＣＧＨの他に、ホログラム箔にＣＧＨ作成技術によるパターンで記録したレインボーホログラムで表示した、例えばブランド名、メーカー名、商品名、商品情報等を目視で確認できるようにし、目視像と回折像をリンクさせ、確認することで二重の証明機能を持たせることも可能である。
【００３３】
またＣＧＨをパターンとして記録する形態として、上記図４のようにレインボーと多値のＣＧＨを混在する形態、図９のように背景を任意の画像を記録したレインボーホログラムとして、視覚的に認識できる物とし、文字の部分を多値のＣＧＨで構成し、これに単一波長光を照射することによって回折像３が発生する形態でも良い。
【００３４】
さらに贋造防止シール１ａは、貼付した絵画１ｂ１、１ｂ２から無理に剥離すると損傷が起こる基材フィルムあるいはホログラム箔を用いて構成してもよく、その場合真正品の絵画から真正品の贋造防止シール１ａを不正に剥離すると損傷し外部から容易に判明するので、不正に剥離した贋造防止シール１ａを贋造品の絵画に貼付して真正品を装おうとしても、損傷があることから即座に贋造品であることが判別される。
従って、損傷の無い贋造防止シール１ａが貼付された絵画１ｂ１、１ｂ２は真正品であることが、より確実に証明される効果を奏する。
【００３５】
更に、贋造防止シール１ａは、薄い小さなシール状部材であるので、半導体製造装置等ＣＧＨシートを製造するに必要な所定の生産設備を保有する正規の製造者にとっては、比較的低コストで生産でき、シールを物品に貼付する作業は容易で特に熟練を要することなく、また貼付作業の検査も容易であり、物品の製造者は大きな負担をすることなく真正性の証明が行なえる効果を有する。
【００３６】
また贋造防止シール１ａを貼付するためには、物品側にシール１ａを貼付する面積を有する平面あるいは曲面があればよいので、シール１ａを貼付可能とするために物品の構造を変更したり、特別な構成、例えば取付環や凹部や孔部等を設ける必要が無く、あるいは物品の形状に合わせてシール１ａの外形形状を変更したり新たな形状のシール１ａを設計する事は容易であるので、物品の製造者の負担を軽減することが出来る。
【００３７】
ところで、先に図１を用いて説明した本実施例の贋造防止シール１ａの回折像１ｆの再生方法は、レーザビームポインタの如き単独のレーザ照射手段１ｃにより照射を行なって壁面１ｈに結像する回折像１ｆを得るという、簡易的な方法であった。
一方、ホログラムの像（回折像）を再生する他の方法として、本出願人の考案による再生装置７ａを用いてもよく、図７により説明する。
図７の再生装置７ａにおいて、発光装置７ｂから照射された単色光はミラー７ｃで反射された後、物品に接着したホログラム箔のＣＧＨ部分７ｄに照射する。
【００３８】
ホログラムで回折した反射光はスクリーン７ｅ上に結像し目視することができる。またスクリーン７ｅの位置にＣＣＤ等の撮像素子を配置すれば電気的に回折像を処理することも可能である
【００３９】
次に本実施例において、上記に説明した贋造防止シール１ａを電子部品封止体３ａに貼付して贋造防止、あるいは不正な交換の防止を行なう、他の応用例を説明する。
【００４０】
情報機器には、周知技術である制御用の中央処理ユニット、プログラム内蔵用の読み出し専用メモリ、ランダムアクセスメモリ等  が搭載されている。
読み出し専用メモリには、例えば、ＢＩＯＳ等の制御プログラム、情報機器を機能させる応用プログラム等が固定的に記憶されている。
また、中央処理ユニットは、読み出し専用メモリや周辺記憶媒体に記憶されたプログラムを実行し、遂行させている。
【００４１】
ところで、最近の高性能な中央処理ユニットは高価であるため偽造品が市場に流通したり、正規のアプリケーションソフトを不正コピーした模造品の読み出し専用メモリが流通して社会問題になっている。
【００４２】
従来から中央処理ユニットや読み出し専用メモリ等の電子部品を収納し、封止した電子部品封止体（パッケージ）の上面には、製造元（出所表示）、型番などが印刷してあった。
そして、これらの印刷により当該電子部品封止体及び内部の電子部品は真正品であることを製造者はうたっていた。しかし、通常の印刷は、容易に偽製が可能であり、印刷がなされていたとしても真正品であることを何ら証明できなかった。
【００４３】
そこで本実施例の他の応用例である本例では、上記の説明において絵画１ｂ１、１ｂ２に貼付して真正性の証明に用いた贋造防止シール１ａを図３の如く電子部品封止体３ａの上面（図３図示姿勢）に貼付し、電子部品あるいは電子部品封止体３ａの真正性の証明に用いる構成、方法としている。
【００４４】
贋造防止シール１ａのホログラム箔をパッケージ（電子部品封止体）３ａに貼付する際には、接着性及びＣＧＨの回折像の精度を維持するためにパッケージ表面が光沢面であり、すなわち、凹凸のないものが望ましい。
ただし、表面が梨地状の物も存在するため、この場合にはホログラムフィルムの接着層が梨地の表面荒さ寸法よりも厚くしておき、梨地面の凹部にまで接着層が入り込むようにすれば、十分な接着力が得られるとともにＣＧＨ層の平面度が得られるので、十分な精度の回折像が得られる。
また、機械的手法によりパッケージ表面を光沢面となすように研磨等の加工を施したり、梨地状表面を樹脂コーティングすることによって、凹凸部をなくし、光沢面となすようにしても良い。
【００４５】
本応用例の電子部品封止体３ａは、上記のようにＣＧＨを有する贋造防止シール１ａを貼付した構成であるので、絵画１ｂ１、１ｂ２に貼付した場合と同様の理由により、贋造防止シール１ａ自身及び贋造防止シール１ａを貼付した電子部品封止体３ａの偽造（贋造）が困難であり、偽造防止効果を奏する。
【００４６】
すなわち、贋造防止シール１ａの表面に形成されたＣＧＨのパターンの外形形状を、特定の文字や商標など、商品の真正性を示すパターン形状とすれば、貼付された電子部品封止体３ａは真正品であるということを、そのパターン形状を見て知ることが出来るとともに、ＣＧＨパターン自体が上記のように計算機を用いた高度の技術、設備、作業を経て初めて形成できるものであって純正のメーカー以外による不正な偽造が極めて困難であるという偽造防止効果があることから、贋造防止シール１ａ自身や贋造防止シール１ａが貼り付けられた電子部品封止体３ａが真正品であることを確実に証明する機能を持つ。
【００４７】
さらに、図３に示すように、ホログラム箔３２のホログラム部に単一波長光を照射して反射回折像１を再生し、再生像をその商品の真正性を示す画像、例えばブランド名、メーカー名、商品名、商品情報等の画像とすれば、上記に説明した、ＣＧＨが偽造困難であることと合わせて、更に確実に真正品であることを証明できる。
【００４８】
なお、上記実施例において、表示及び像再生のためのホログラムはＣＧＨを用いたものとして構成の説明を行なった。
上記のＣＧＨと異なり、写真画像を用いて形成する他のホログラムでは、そのプロセスの容易性から不正な偽造が皆無とは言えない問題があることは先に説明した通りである。
それに対しＣＧＨは、上記のように計算機を用いた極めて高度な設備、技術、作業を経て作成されるものであり、偽造の困難さは写真画像によるホログラムより遥かに大きいものである。従ってＣＧＨを用いた上記の構成とすることにより、本発明の効果が確実に発揮されるものである。
【００４９】
更に、上記に説明した実施例における贋造防止シール１ａは、ＣＧＨパターンの目視でわかる外形形状が固有のパターン形状（図４図示におけるグレーティングＣＧＨ「ＡＢＣ」、図９図示における多値ＣＧＨ「ＡＢＣ」）であるとともに、単色光の照射に応じて現出する回折像もまた固有のパターンを呈し、合わせて確実な真正性証明機能を発揮するものであった。
一方、本発明の実施に際しては、ＣＧＨパターンの目視でわかる外形形状のみが固有のパターンを呈することによって物品の真正性を証明する贋造防止シールとして構成しても良いし、あるいはまた、単色光の照射に応じて現出する回折像のみが固有のパターンを呈することによって物品の真正性を証明する贋造防止シールとして構成しても良く、それぞれの構成もまた貼付された物品の真正性を証明するという本発明の効果を発揮し、本発明に含まれるものである。
【００５０】
【発明の効果】
以上詳述した如く、本発明は、単色光の照射により真正性証明用の回折像を現出するＣＧＨ（計算機生成ホログラム）パターンを備えたことにより、偽造品の製造が極めて困難であり、物品が真正品であることを確実かつ容易に証明し、また製造者の負担を大きく増すことがない、等の効果を奏するものである。
【図面の簡単な説明】
【図１】本発明の証明用シールの一実施例である贋造防止シールを貼付した絵画が展示された美術館の摸式図である。
【図２】図１に示す贋造防止シールの断面図である。
【図３】本発明の証明用シール付物品の一実施例を示す図である。
【図４】図１に示す贋造防止シールの平面図である。
【図５】２値のＣＧＨの断面形状を示す図である。
【図６】多値のＣＧＨの断面形状を示す図である。
【図７】ホログラム再生装置の構造を説明するための図である。
【図８】２値のＣＧＨから得られる回折像を示す図である。
【図９】本発明の証明用シールの他の実施例の平面図である。
【図１０】従来の絵画が展示された美術館の摸式図である。
【符号の説明】
１ａ  贋造防止シール（証明用シール）
１ｂ１、１ｂ２  絵画（物品、被判別物品）
１ｄ  照射光（単色光）
１ｆ  回折像（真正性証明用の回折像）
１ｇ  固有のパターン（真正性証明用の回折像）
６  基材フィルム（基体）
３６  ホログラム箔部（基体）
【図１】
0003582713.tif 000002
【図２】
0003582713.tif 000003
【図３】
0003582713.tif 000004
【図４】
0003582713.tif 000005
【図５】
0003582713.tif 000006
【図６】
0003582713.tif 000007
【図７】
0003582713.tif 000008
【図８】
0003582713.tif 000009
【図９】
0003582713.tif 000010
【図１０】
0003582713.tif 000011